(57)【特許請求の範囲】
【請求項１】
両面が粘着面とされるテープ基材の片面に剥離ライナが貼付されて成るテープのロールを回転自在に保持するケースと、このケースに揺動自在に取り付けられた操作レバーとを備えるテープディスペンサであり、
前記ケースは、前記ロールを収容するケース本体部と、このケース本体部に連続して前記ロールから引き出されたテープを通すテープガイド部とを有し、
前記テープガイド部に、前記ロールから引き出されたテープをテープ基材と剥離ライナとに分離するセパレート部と、前記操作レバーとが設けられ、
前記操作レバーの一端は、前記セパレート部により前記テープ基材から分離された前記剥離ライナの部位を前記ケース本体部の外周部に押し付けるライナ押圧部とされ、このライナ押圧部と前記ケース本体部の外周部との間に前記剥離ライナを排出する開閉自在なライナ排出口が形成されると共に、
前記操作レバーの他端は、前記セパレート部により前記剥離ライナが分離された前記テープ基材の部位を前記テープガイド部の先端部に押し付ける基材押圧部とされ、この基材押圧部と前記テープガイド部の先端部との間に前記テープ基材を外部に引き出す開閉自在な基材引出口が形成され、
前記テープガイド部の先端部には、前記基材押圧部により前記テープ基材が押し付けられたとき当該テープ基材の部位を粘着せしめて固定する支持部が形成されることを特徴とするテープディスペンサ。
【請求項２】
前記基材押圧部が、テープ基材を切断するブレード状の切刃とされていることを特徴とする請求項１記載のテープディスペンサ。
【請求項３】
前記セパレート部が前記テープ基材に対して非粘着性を示す粘着防止材により形成されていることを特徴とする請求項１、又は２記載のテープディスペンサ。
【請求項４】
前記セパレート部が前記テープ基材に対して非粘着性を示す粘着防止材により被覆されていることを特徴とする請求項１、又は２記載のテープディスペンサ。
【請求項５】
前記テープガイド部は、前記ケース本体部に収容されたロールから前記セパレート部を介して前記基材引出口に導かれるテープ基材の一方の粘着面に対向する底板部を有し、該底板部の内表面が、前記テープ基材に対して非粘着性を示す粘着防止材から成る非粘着面部とされていることを特徴とする請求項１〜４のいずれかに記載のテープディスペンサ。
【請求項６】
前記粘着防止材は、シリコーンゴム、シリコーン樹脂、又はフッ素樹脂である請求項３〜５のいずれかに記載のテープディスペンサ。
【請求項７】
テープ基材が瞼に貼付する幅１〜３ｍｍのものである請求項１〜６のいずれかに記載のテープディスペンサ。
【発明の詳細な説明】
【技術分野】
【０００１】
本発明は、主として瞼に貼付して二重瞼を形成するのに用いられる両面粘着テープに係わり、特に同テープを所要の長さに切り取って容易に使用に供することのできるテープディスペンサに関する。
【背景技術】
【０００２】
一般に、両面粘着テープは、両面が粘着面とされるテープ基材の片面に剥離ライナが貼付された状態でロール状に巻かれ、使用に際してそのロールから必要量を引き出して切断し、これを対象物に貼付してから剥離ライナの引き剥がしが行われるが、剥離ライナを後から引き剥がす作業は容易でなく、その引き剥がしに手間取って苛立ったり、テープ基材の端縁を汚損してしまったりすることがあった。
【０００３】
そこで、両面粘着テープのロールを収容可能な箱型の容器（ケース）において、その上下側面に、剥離片（剥離ライナ）を取り出すための剥離片開口部（ライナ排出口）と粘着テープ（テープ基材）を取り出すための粘着テープ開口部（基材引出口）とを設け、更に容器の上部に剥離片を剥離片開口部に導く剥離片ガイドを湾曲して形成し、その下方に先端部が鋭角の刃状とされる上方に湾曲したセパレータ（セパレート部）を形成し、剥離片開口部の外側に剥離片押さえと剥離片切刃とを設ける一方、粘着テープ開口部の外側にテープ押さえと粘着テープ切刃とを設けたテープ用カッター容器が提案されている（例えば、特許文献１）。
【０００４】
【特許文献１】特開２００５−１３２６２５号公報
【発明の開示】
【発明が解決しようとする課題】
【０００５】
しかしながら、特許文献１では、粘着テープ切刃を貼付対象との間で粘着テープに押し付けて同テープを切断するようにしているので、貼付対象が人体である場合、粘着テープの切断に際して切刃で人体を傷付けてしまう危険性があり、しかも粘着テープの先端部が容器の外部に常時露出するようになっているので、非使用時において粘着テープの先端部に塵埃などが付着して粘着性が損なわれるという問題がある。
【０００６】
又、粘着テープ開口部とは別に、剥離片開口部にも切刃と剥離片押さえを設けているので、部品点数が多くコスト高になるという問題がある。
【０００７】
本発明は以上のような事情に鑑みて成されたものであり、その目的は両面粘着テープを必要な長さだけ容易に切り取ることのできる簡易構造にして使い勝手の良いテープディスペンサを提供することにある。
【課題を解決するための手段】
【０００８】
本発明は上記の目的を達成するため、両面が粘着面とされるテープ基材の片面に剥離ライナが貼付されて成るテープのロールを回転自在に保持するケースと、このケースに揺動自在に取り付けられた操作レバーとを備えるテープディスペンサであり、
前記ケースは、前記ロールを収容するケース本体部と、このケース本体部に連続して前記ロールから引き出されたテープを通すテープガイド部とを有し、
前記テープガイド部に、前記ロールから引き出されたテープをテープ基材と剥離ライナとに分離するセパレート部と、前記操作レバーとが設けられ、
前記操作レバーの一端は、前記セパレート部により前記テープ基材から分離された前記剥離ライナの部位を前記ケース本体部の外周部に押し付けるライナ押圧部とされ、このライナ押圧部と前記ケース本体部の外周部との間に前記剥離ライナを排出する開閉自在なライナ排出口が形成されると共に、
前記操作レバーの他端は、前記セパレート部により前記剥離ライナが分離された前記テープ基材の部位を前記テープガイド部の先端部に押し付ける基材押圧部とされ、この基材押圧部と前記テープガイド部の先端部との間に前記テープ基材を外部に引き出す開閉自在な基材引出口が形成され、
前記テープガイド部の先端部には、前記基材押圧部により前記テープ基材が押し付けられたとき当該テープ基材の部位を粘着せしめて固定する支持部が形成されることを特徴とする。
【０００９】
加えて、前記基材押圧部が、テープ基材を切断するブレード状の切刃とされていることを特徴とする。
【００１０】
又、前記セパレート部が前記テープ基材に対して非粘着性を示す粘着防止材により形成されているか、若しくは前記セパレート部が前記テープ基材に対して非粘着性を示す粘着防止材により被覆されていることを特徴とする。
【００１１】
更に、前記テープガイド部は、前記ケース本体部に収容されたロールから前記セパレート部を介して前記基材引出口に導かれるテープ基材の一方の粘着面に対向する底板部を有し、該底板部の内表面が、前記テープ基材に対して非粘着性を示す粘着防止材から成る非粘着面部とされていることを特徴とする。
【００１２】
尚、前記粘着防止材としては、シリコーンゴム、シリコーン樹脂、又はフッ素樹脂を好適に用いることができる。又、本発明に係るテープディスペンサは、瞼に貼付する幅１〜３ｍｍのテープ基材に適用される。
【発明の効果】
【００１３】
本発明によれば、ケースがテープのロールを収容するケース本体部と該ケース本体部に連続してロールから引き出されたテープを通すテープガイド部とを有し、そのテープガイド部にロールから引き出されたテープをテープ基材と剥離ライナとに分離するセパレート部が設けられていることから、瞼に貼付する幅狭なテープ基材でも剥離ライナが分離された状態にして引き出し、これをすぐさま使用に供することができる。
【００１４】
又、テープのロールを収容するケースに操作レバーが揺動自在に取り付けられ、その一端がライナ押圧部としてケース本体部の外周部との間でライナ排出口から排出された剥離ライナに押し付けられるようにしていることから、操作レバーとケース本体部とにより剥離ライナを挟み込んで切断することができ、しかも同操作レバーの他端が基材押圧部としてテープガイド部の先端部との間で基材引出口から引き出されたテープ基材に押し付けられるようにしていることから、操作レバーとテープガイド部とによりテープ基材を挟み込んで切断することができる。
【００１５】
更に、テープガイド部の先端部には、基材押圧部によりテープ基材が押し付けられたとき当該テープ基材の部位を粘着せしめて固定する支持部が形成されていることから、切断後のテープ基材がケース本体部側に引き込まれてしまうことがなく、しかも基材引出口が操作レバーの揺動によって開閉することから、当該基材引出口を開放して基材テープを適宜引き出すことができ、基材引出口の閉鎖時にはケース内への塵埃の侵入を防止してテープ基材の粘着面を塵埃から保護することができる。
【００１６】
特に、基材押圧部がテープ基材を切断するブレード状の切刃とされていることから、引き出されたテープ基材を容易に切断することができる。
【００１７】
加えて、セパレート部がテープ基材に対して非粘着性を示す粘着防止材により形成されるか、若しくは粘着防止材により被覆されていることから、テープ基材の引き出しを円滑に行うことができる。
【００１８】
又、テープガイド部は、ケース本体部に収容されたロールからセパレート部を介して基材引出口に導かれるテープ基材の一方の粘着面に対向する底板部を有していることから、その底板部によりテープ基材の粘着面を塵埃などから保護することができ、しかも底板部の内表面がテープ基材に対して非粘着性を示す粘着防止材から成る非粘着面部とされていることから、テープ基材が弛んだ場合でも底板部に対するテープ基材の粘着を防止して、その引き出しを容易に行うことができる。
【発明を実施するための最良の形態】
【００１９】
以下、図面に基づいて本発明を詳しく説明する。図１は本発明に係るテープディスペンサを示した側面図であり、図２には図１のＸ−Ｘ断面を示す。図１、図２において、１は合成樹脂製のケースであり、このケース１は略円形状のケース本体部１Ａと該ケース本体部１Ａに連続してその接線方向に突出するテープガイド部１Ｂとを有する側面視「９」の字形の形態であり、テープガイド部１Ｂの上部には小片状の操作レバー２が揺動自在に取り付けられている。
【００２０】
図２から明らかなように、ケース１は左右一対のカバープレート１１，１２を結合して成る扁平な構造体で、一方のカバープレート１１には環状凸部１１Ａが形成されているほか、その環状凸部１１Ａの外側に複数のピン１１Ｂが突設されている。又、他方のカバープレート１２には、環状凸部１１Ａより大径の環状凸部１２Ａと、ピン１１Ｂに対応する円筒部１２Ｂとが形成されているほか、その周縁に壁部１２Ｃが一体に形成されている。
【００２１】
そして、その両カバープレート１１，１２は、環状凸部１１Ａ，１２Ａと、ピン１１Ｂ及び円筒部１２Ｂの嵌合により結合され、その両者１１，１２の間にテープのロールＴＲ（以下、テープロールと称する）が回転自在に保持されるようになっている。
【００２２】
図３は一方のカバープレート１１を示した側面図、図４は他方のカバープレート１２を示した側面図である。図３から明らかなように、カバープレート１１に形成される環状凸部１１Ａは部分的に分断されており、これにより径方向に伸縮するようなバネ性が付与され、そのバネ性により環状凸部１１Ａ，１２Ａ同士が強固に嵌合して一対のカバープレート１１，１２が容易に分離せぬようになっている。
【００２３】
又、図４から明らかなように、テープロールＴＲは環状凸部１２Ａの外周に嵌合してケース本体部１Ａ内に収容される。尚、テープロールＴＲは、環状凸部１２Ａより大径の巻芯ＣにテープＴがロール状に巻かれたものであり、そのテープＴは両面が粘着面とされるテープ基材Ｔ１の片面に剥離ライナＴ２が貼付された態様とされている。特に、本例において、テープ基材Ｔ１は二重瞼を形成するべく瞼に貼付されるもので、その幅は１〜３ｍｍとされている。
【００２４】
そして、テープロールＴＲから引き出されたテープＴは、ケース本体部１Ａとテープガイド部１Ｂとの間に位置する円筒部１２Ｂを介してテープガイド部１Ｂに通され、そのテープガイド部１Ｂの中途でテープ基材Ｔ１と剥離ライナＴ２とに分離されるようになっている。
【００２５】
図４において、３はテープＴをテープ基材Ｔ１と剥離ライナＴ２とに分離するセパレート部である。本例において、係るセパレート部３はシリコーンゴムから形成されているローラ３１であり、このローラ３１はテープガイド部１Ｂ内に突設したピン１３により回転自在に支持されている。
【００２６】
又、図４から明らかなように、操作レバー２は、テープガイド部１Ｂ内に突設したピン１４により揺動自在に支持されている。特に、ケース本体部１Ａと操作レバー２との間には、操作レバー２の揺動により開閉するライナ排出口４が形成され、そのライナ排出口４を通じてテープ基材Ｔ１から分離された剥離ライナＴ２を外部に排出し得るようになっている。尚、操作レバー２の一端は、ライナ排出口４から排出された剥離ライナＴ２の部位をケース本体部１Ａの外周部（上記壁部１２Ｃの外面）に押し付けるライナ押圧部２１とされている。
【００２７】
一方、テープガイド部１Ｂの先端部と操作レバー２の他端との間には、操作レバー２の揺動により開閉する基材引出口５が形成され、その基材引出口５を通じて剥離ライナＴ２が分離されたテープ基材Ｔ１を外部に引き出し得るようになっている。尚、操作レバー２の他端（先端）は、基材引出口５から引き出されるテープ基材Ｔ１の部位をテープガイド部１Ｂの先端部に押し付ける刃状の基材押圧部２２とされている。
【００２８】
又、テープガイド部１Ｂの先端部には、基材押圧部２２によりテープ基材Ｔ１が押し付けられたとき当該テープ基材Ｔ１の部位を粘着せしめて固定する台状の支持部１５が形成されている。尚、テープガイド部１Ｂの下部はテープ基材の粘着を防止するべく開放してもよいが、本例では、図４に示されるように上記壁部１２Ｃの一部分がテープガイド部１Ｂの下部を閉鎖する底板部１２Ｄとしてケース本体部１Ａから支持部１５まで連続し、その底板部１２Ｄによりテープ基材Ｔ１の粘着面が塵埃から保護されるようにしている。そして、この底板部１２Ｄとローラ３１との間にテープ基材Ｔ１が通され、その粘着面の一方に底板部１２Ｄが対向するようになっている。但し、テープガイド部１Ｂの底面を成す底板部１２Ｄの内表面は、テープ基材Ｔ１に対して非粘着性を示す粘着防止材から成る非粘着面部１２Ｅとされている。
【００２９】
本例において、この非粘着面部１２Ｅもローラ３１と同じシリコーンゴムにより形成されるが、ローラ３１や非粘着面部１２Ｅはシリコーンゴムに限らず、テープ基材Ｔ１に対して非粘着性を示すものであればよく、これにはシリコーンゴムのほかシリコーン樹脂やフッ素樹脂を用いることができる。又、ローラ３１はそれらの粘着防止材により表面が被覆されているだけでもよい。
【００３０】
ここで、以上のように構成されるテープディスペンサの使用方法と作用について説明すれば、先ずテープロールＴＲのセッティングとして、一対のカバーケース１１，１２を分離して一方のカバープレート１２に形成される大径側の環状凸部１２Ａの外周にテープロールＴＲを嵌め、そのテープロールＴＲからテープＴを引き出し、円筒部１２Ｂを経由してテープガイド部１Ｂ側に導き通した後、その引き出し部分を指先にてテープ基材Ｔ１と剥離ライナＴ２とに分離する。そして、テープ基材Ｔ１をローラ３１と底板部１２Ｄとの間を通して基材引出口５から外部に引き出す一方、剥離ライナＴ２をライナ排出口４から外部に引き出し、その状態にして一対のカバープレート１１，１２を結合する。
【００３１】
使用に際しては、基材引出口５とライナ排出口とが半開状態となるよう操作レバー２を中立位置に保ち、その状態にしてテープ基材Ｔ１の端部を指先で摘んで引き出せば、ローラ３１によりテープ基材Ｔ１から剥離ライナＴ２が順次分離されながら、この剥離ライナＴ２もライナ排出口４より外部に排出されていくようになる。
【００３２】
しかして、テープ基材Ｔ１を必要量だけ引き出したら、操作レバー２を指先で操作し、その先端（基材押圧部２２）でテープ基材Ｔ１の部位をテープガイド部１Ｂの先端部（支持部１５）に押し付けて基材引出口５を閉鎖し、その状態で引き出されたテープ基材Ｔ１を操作レバー２側に引き上げるようにすれば、テープ基材Ｔ１が基材引出口５の位置にて切断されるようになる。尚、このとき基材引出口５の内側では、テープ基材Ｔ１の端部が支持部１５に粘着して固定されるようになるため、切断後のテープ基材Ｔ１がケース本体部１Ａ側に引き込まれてしまうことがなく、テープ基材Ｔ１の切断後に基材引出口５を開放すれば、支持部１５に粘着されたテープ基材Ｔ１の端部を摘んで当該テープ基材Ｔ１を必要な長さだけ適宜引き出すことができる。
【００３３】
一方、操作レバー２を図４の反時計回りに揺動させ、その一端（ライナ押圧部２１）で剥離ライナＴ２の部位をケース本体部１Ａの外周部に押し付け（ライナ押圧部２１とケース本体部１Ａの外周部とで剥離ライナＴ２を挟み）、その状態で剥離ライナＴ２を引っ張れば、テープロールＴＲからテープＴが引き出されることを防止しながら不要となった剥離ライナＴ２をライナ排出口４の位置で切断して破棄することができる。
【００３４】
以上、本発明に係るテープディスペンサの構成例を図１〜図４に示して説明したが、セパレート部３は、上記例のようにケース１に取り付けられるローラ３１とすることに限らず、係るセパレート部３を薄片状にしてケース１に一体的に形成してもよいし、あるいはセパレート部３として図５のような先端が尖った爪状部材３２を用い、これをケース１に固設するようにしてもよい。
【００３５】
又、上記例では、操作レバー２の先端（基材押圧部２２）と支持部１５とによりテープ基材Ｔ１が挟まれる構成としたが、図６のように支持部１５よりテープ基材Ｔ１の引出方向下流となる位置でテープガイド部１Ｂに突片１６を設け、その突片１６にテープ基材Ｔ１を介して基材押圧部２２が押し付く構成としてもよく、これによれば切断されたテープ基材Ｔ１の後続を支持部１５に粘着させながら、テープ基材Ｔ１の先端を支持部１５より先方に突出させることができるので、その突端を摘んでテープ基材Ｔ１の引き出しを容易に行うことができる。
【００３６】
更に、図７のように、基材押圧部として、操作レバー２の先端にブレード状の切刃２２Ａ（金属製）を固設するようしてもよく、これによれば瞼に貼付するテープ基材Ｔ１でも、切刃２２Ａを瞼に接触させることなく確実、容易に切断することが可能になる。
【００３７】
尚、以上のような本発明に係るテープディスペンサの図示例において、共通する部分の説明は同一符号を付して省略する。
【図面の簡単な説明】
【００３８】
【図１】本発明に係るテープディスペンサを示す側面図
【図２】図１のＸ−Ｘ断面図
【図３】ケースを構成するカバープレートを示す側面図
【図４】本発明に係るテープディスペンサの内部構造を示す説明図
【図５】セパレート部の変更例を示す構成図
【図６】テープガイド部の変更例を示す構成図
【図７】操作レバーの変更例を示す構成図
【符号の説明】
【００３９】
ＴＲ  テープロール
Ｔ  テープ
Ｔ１  テープ基材
Ｔ２  剥離ライナ
１  ケース
１Ａ  ケース本体部
１Ｂ  テープガイド部
１２Ｄ  底板部
１２Ｅ  非粘着面部
１５  支持部
２  操作レバー
２１  ライナ押圧部
２２  基材押圧部
２２Ａ  基材押圧部（切刃）
３  セパレート部
３１  ローラ
３２  爪状部材
４  ライナ排出口
５  基材引出口
【要約】
【課題】両面粘着テープを必要な長さだけ容易に切り取ることのできる簡易構造にして使い勝手の良いテープディスペンサを提供する。
【解決手段】テープロールＴＲを回転自在に保持するケース１と、ケース１に揺動自在に取り付けられた操作レバー２とを備える。ケース１は、テープロールＴＲを収容するケース本体部１Ａと、テープロールＴＲから引き出されたテープＴを通すテープガイド部１Ｂとを有する。テープガイド部１Ｂには、テープＴをテープ基材Ｔ１と剥離ライナＴ２とに分離するセパレート部３が設けられる。操作レバー２の一端はライナ押圧部２１とされ、このライナ押圧部２１とケース本体部１Ａの外周部との間に剥離ライナＴ２を排出するライナ排出口４が形成される。又、操作レバー２の他端は基材押圧部２２とされ、この基材押圧部２２とテープガイド部１Ｂの先端部との間にテープ基材Ｔ１を外部に引き出す基材引出口５が形成される。
【選択図】図４【図１】
0004099518.tif 000002
【図２】
0004099518.tif 000003
【図３】
0004099518.tif 000004
【図４】
0004099518.tif 000005
【図５】
0004099518.tif 000006
【図６】
0004099518.tif 000007
【図７】
0004099518.tif 000008